(57)【特許請求の範囲】
【請求項１】
画像の印刷に関するサービスを提供するプリントシステムであって、
画像の印刷を行う印刷装置と、
処理対象の画像である対象画像に関する情報である画像情報を取得する情報取得部と、
取得された前記画像情報に基づいて、前記サービスの提供のために使用されるサービス情報が付加された前記対象画像である情報付加画像を生成する画像生成部と、を備え、
前記印刷装置は、前記情報付加画像に付加されている前記サービス情報に基づいて、前記サービスを提供するための処理であるサービス提供処理を行う機能を有し、
前記画像生成部は、
（ａ１）前記画像情報に基づいて、前記サービス情報を前記対象画像に付加するための複数種類の情報付加規則のいずれかを選択し、
（ａ２）選択された前記情報付加規則に基づいて、前記サービス情報が付加された前記情報付加画像を生成する
プリントシステム。
【請求項２】
前記画像情報は、前記対象画像の特徴を示す情報である
請求項１に記載のプリントシステム。
【請求項３】
前記サービスには、複数種類の前記サービス情報が関連付けられており、
前記画像生成部は、
（ｂ１）前記画像情報に基づいて、前記複数種類のサービス情報のいずれかを選択し、
（ｂ２）選択された前記サービス情報が付加された前記情報付加画像を生成する
請求項１または２に記載のプリントシステム。
【請求項４】
画像の印刷に関するサービスを提供するプリントシステムであって、
画像の印刷を行う印刷装置と、
処理対象の画像である対象画像に関する情報である画像情報を取得する情報取得部と、
取得された前記画像情報に基づいて、前記サービスの提供のために使用されるサービス情報が付加された前記対象画像である情報付加画像を生成する画像生成部と、を備え、
前記印刷装置は、前記情報付加画像に付加されている前記サービス情報に基づいて、前記サービスを提供するための処理であるサービス提供処理を行う機能を有し、
前記サービスには、複数種類の前記サービス情報が関連付けられており、
前記画像生成部は、
（ｃ１）前記印刷装置が前記サービス提供処理を行ってない場合、前記複数種類のサービス情報のいずれかを選択し、
（ｃ２）選択された前記サービス情報が付加された前記情報付加画像を生成する
プリントシステム。
【発明の詳細な説明】
【技術分野】
【０００１】
本発明は、画像を印刷するサービスを提供するプリントシステムに関する。
【背景技術】
【０００２】
近年のデジタルカメラの急速な普及に伴い、当該デジタルカメラで撮影された画像（以下、「撮影画像」ともいう）を示す写真を販売するサービスも普及している。当該サービスでは、例えば、無人の環境に設置された写真販売装置が、撮影画像が印刷された印刷物を写真として出力し、当該写真を販売するための処理を行う。当該写真販売装置は、集客の増加、サービスの認知度等を向上させるために、無料プリント、割引プリントといった様々なサービス（特典）を提供している。無料プリントとは、例えば、無料で、撮影画像が印刷された写真を提供するサービスである。
【０００３】
特許文献１では、利用者（ユーザー）の負担をなるべく軽減させた状態で、無料プリントを提供するための技術（以下、「関連技術Ａ」ともいう）が開示されている。具体的には、関連技術Ａでは、移動通信端末と、インターネットに接続されたサーバ装置とを用いて、無料プリントを提供するための処理を行う。これにより、利用者に、事前登録などの手間をかけることなく、無料プリントといったサービスを提供することができる。
【先行技術文献】
【特許文献】
【０００４】
【特許文献１】特開２０１４−２０６８４７号公報
【発明の概要】
【発明が解決しようとする課題】
【０００５】
しかしながら、関連技術Ａでは、以下のような問題がある。具体的には、関連技術Ａでは、無料プリントといったサービスを提供するためには、移動通信端末が、インターネットを介して、サーバ装置と通信する必要がある。移動通信端末がサーバ装置と通信するためには、当該サーバ装置にアクセスする当該移動通信端末の認証処理等を行う必要がある。そのため、関連技術Ａでは、例えば、無料プリントといった、画像の印刷に関するサービスを提供するための構成（処理）が複雑であるという問題がある。
【０００６】
本発明は、このような問題を解決するためになされたものであり、簡易な構成で、画像の印刷に関するサービスを提供することが可能なプリントシステムを提供することを目的とする。
【課題を解決するための手段】
【０００７】
上記目的を達成するために、本発明の一態様に係るプリントシステムは、画像の印刷に関するサービスを提供する。前記プリントシステムは、画像の印刷を行う印刷装置と、処理対象の画像である対象画像に関する情報である画像情報を取得する情報取得部と、取得された前記画像情報に基づいて、前記サービスの提供のために使用されるサービス情報が付加された前記対象画像である情報付加画像を生成する画像生成部と、を備え、前記印刷装置は、前記情報付加画像に付加されている前記サービス情報に基づいて、前記サービスを提供するための処理であるサービス提供処理を行う機能を有し、前記画像生成部は、（ａ１）前記画像情報に基づいて、前記サービス情報を前記対象画像に付加するための複数種類の情報付加規則のいずれかを選択し、（ａ２）選択された前記情報付加規則に基づいて、前記サービス情報が付加された前記情報付加画像を生成する。
【発明の効果】
【０００８】
本発明によれば、画像生成部は、サービス情報が付加された対象画像である情報付加画像を生成する。当該サービス情報は、画像の印刷に関するサービスの提供のために使用される情報である。また、前記印刷装置は、前記情報付加画像に付加されている前記サービス情報に基づいて、画像の印刷に関する前記サービスを提供するための処理であるサービス提供処理を行う機能を有する。
【０００９】
これにより、画像の印刷に関するサービスの提供を行う場合、従来のようにサーバ装置を使用する必要はない。そのため、簡易な構成で、画像の印刷に関するサービスを提供することができる。
【図面の簡単な説明】
【００１０】
【図１】本発明の実施の形態１に係るプリントシステムの構成を示すブロック図である。
【図２】本発明の実施の形態１に係る画像記憶処理のフローチャートである。
【図３】本発明の実施の形態１に係る画像印刷処理のフローチャートである。
【図４】本発明の実施の形態２に係るプリントシステムの構成を示すブロック図である。
【図５】本発明の実施の形態３に係るプリントシステムの構成を示すブロック図である。
【図６】本発明の実施の形態４に係るプリントシステムの構成を示すブロック図である。
【図７】プリントシステムの特徴的な機能構成を示すブロック図である。
【図８】プリントシステムのハードウエア構成図である。
【発明を実施するための形態】
【００１１】
以下、図面を参照しつつ、本発明の実施の形態について説明する。以下の図面では、同一の各構成要素には同一の符号を付してある。同一の符号が付されている各構成要素の名称および機能は同じである。したがって、同一の符号が付されている各構成要素の一部についての詳細な説明を省略する場合がある。
【００１２】
＜実施の形態１＞
図１は、本発明の実施の形態１に係るプリントシステム１０００の構成を示すブロック図である。プリントシステム１０００は、画像の印刷を行うシステムである。以下においては、画像の印刷に関するサービスを、「画像関連サービス」ともいう。プリントシステム１０００は、詳細は後述するが、画像関連サービスを提供するシステムである。画像関連サービスについては、後述する。
【００１３】
図１を参照して、プリントシステム１０００は、画像記憶装置２００と、印刷装置１００とを含む。画像記憶装置２００は、例えば、ユーザーが携帯可能な情報端末である。具体的には、画像記憶装置２００は、例えば、スマートフォンである。画像記憶装置２００には、ユーザーの操作を受付けるためのユーザーインタフェース等が設けられる。当該ユーザーインタフェースは、例えば、ボタン、タッチパネル等である。
【００１４】
印刷装置１００は、画像の印刷を行う装置である。また、印刷装置１００は、画像が印刷された印刷物を写真として出力する機能を有する写真販売装置である。また、印刷装置１００は、写真を販売するための処理を行う。
【００１５】
印刷装置１００は、例えば、無人の環境に設置される。画像記憶装置２００および印刷装置１００は、互いに、無線通信を行う機能を有する。
【００１６】
印刷装置１００は、通信部１１０と、画像処理部１２０と、注文受付部１３０と、注文管理部１４０と、料金受付部１５０と、印刷部１６０と、印刷物排出部１７０と、サービス管理部１８０とを備える。
【００１７】
通信部１１０は、画像記憶装置２００と無線通信を行う機能を有する。当該無線通信は、例えば、Ｗｉ−Ｆｉ（Wireless Fidelity）に基づいた近距離無線通信である。なお、「Ｗｉ−Ｆｉ」は登録商標である。また、当該無線通信は、例えば、Bluetoothに基づいた近距離無線通信であってもよい。なお、「Bluetooth」は登録商標である。
【００１８】
画像処理部１２０は、画像に対し各種処理を行う機能を有する。画像処理部１２０は、画像解析部１２１と、画像復元部１２２とを含む。画像解析部１２１および画像復元部１２２が行う処理等については、後述する。
【００１９】
注文受付部１３０は、例えば、モニター（図示せず）と、記録媒体アクセス部（図示せず）とを含む。モニターは、画像を表示する装置である。なお、モニターは、ＰＣ（Personal Computer）が内蔵された装置であってもよい。
【００２０】
モニターには、記録媒体アクセス部が接続される。記録媒体アクセス部には、記録媒体を挿入可能な開口部が設けられる。当該記録媒体は、例えば、情報等を記憶可能なメモリカードである。記録媒体アクセス部は、画像が記憶された記録媒体から、当該画像を読み出す機能を有する。
【００２１】
また、モニターの画面には、タッチパネルが設けられている。当該タッチパネルは、ユーザーが、プリント端末１００に対し指示を与えるためのインタフェースである。ユーザーは、タッチパネルを用いた操作を行うことにより、例えば、メニューの選択、印刷枚数、画像の選択等の操作を行うことができる。以下においては、ユーザーが、タッチパネルを使用して行う操作を、「操作Ｕ」ともいう。
【００２２】
印刷部１６０は、昇華型プリンター、インクジェット型プリンター等である。印刷部１６０は、詳細は後述するが、シート状の印刷メディアに画像を印刷する。印刷メディアは、例えば、普通紙、保護層付き普通紙、シール紙などである。
【００２３】
料金受付部１５０は、料金の支払いを受付ける機能を有する。料金受付部１５０は、料金投入口（図示せず）を含む。料金受付部１５０は、ユーザーが料金投入口に投入した料金を受付ける。
【００２４】
なお、注文管理部１４０、印刷物排出部１７０およびサービス管理部１８０が行う処理等については、後述する。
【００２５】
画像記憶装置２００は、画像取得部２１０と、情報取得部２２０と、判定部２３０と、画像生成部２４０と、画像記憶部２５０と、条件設定部２６０と、通信部２７０とを備える。画像取得部２１０は、一例として、デジタルカメラを有する。デジタルカメラは、被写体を撮影することにより、当該被写体を示す画像を生成する。
【００２６】
画像記憶部２５０は、情報等を記憶するためのメモリである。なお、画像記憶部２５０は、注文受付部１３０に含まれる記録媒体アクセス部と同じ記録媒体アクセス部と、記録媒体アクセス部の開口部に挿入される記録媒体とから構成されてもよい。
【００２７】
条件設定部２６０は、条件Ｓを予め設定する。条件Ｓは、印刷装置１００が画像関連サービスを提供するための処理を行うか否かを決めるための条件である。条件Ｓの詳細については後述する。
【００２８】
通信部２７０は、印刷装置１００と無線通信を行う機能を有する。当該無線通信は、通信部１１０が行う無線通信と同じである。なお、通信部２７０は、画像記憶部２５０に記憶されている情報等を読込む機能を有する。
【００２９】
なお、画像取得部２１０、情報取得部２２０、判定部２３０および画像生成部２４０が行う処理等については、後述する。以下においては、画像記憶装置２００において、処理対象の画像を、「対象画像」ともいう。
【００３０】
次に、画像記憶装置２００が行う処理（以下、「画像記憶処理」ともいう）について説明する。図２は、本発明の実施の形態１に係る画像記憶処理のフローチャートである。ここで、以下の前提Ｐｒ１を考慮する。前提Ｐｒ１では、画像記憶装置２００の条件設定部２６０により条件Ｓが予め設定されている。
【００３１】
次に、前提Ｐｒ１における画像記憶処理について説明する。まず、ユーザーが、画像記憶装置２００に対し、撮影操作を行う。当該撮影操作は、ユーザーが、画像記憶装置２００のユーザーインタフェースを使用して、画像取得部２１０のデジタルカメラが被写体を撮影する処理を行うための操作である。
【００３２】
当該撮影操作が行われることにより、画像取得部２１０のデジタルカメラが被写体を撮影することにより、当該被写体を示す対象画像を生成する。これにより、画像取得部２１０は画像（対象画像）を取得する（Ｓ１１０）。そして、画像取得部２１０は、取得した対象画像を、情報取得部２２０へ送信する。
【００３３】
また、前提Ｐｒ１では、さらに、対象画像は、Ｅｘｉｆ（Exchangeable image file format）情報を含む。Ｅｘｉｆ情報は、撮影日時、対象画像の解像度（サイズ）、撮影に関する情報等を含む。また、前提Ｐｒ１では、対象画像を構成する各画素の画素値は、一例として、０〜２５５（８ビット）で表現される。
【００３４】
ステップＳ１２０では、画像記憶装置２００において、画像情報を取得するための画像情報取得処理が行われる。画像情報は、対象画像に関する情報である。具体的には、画像情報は、対象画像の特徴を示す情報である。画像情報取得処理では、情報取得部２２０が、対象画像の画像情報を取得する。
【００３５】
画像情報は、例えば、Ｅｘｉｆ情報に含まれる情報の一部（例えば、対象画像のサイズ）である。また、画像情報は、例えば、対象画像のファイル形式である。そして、情報取得部２２０は、対象画像と、取得した画像情報とを、判定部２３０へ送信する。
【００３６】
ステップＳ１３０では、画像記憶装置２００において、条件取得処理が行われる。条件取得処理では、判定部２３０が、条件設定部２６０が設定した条件Ｓを取得する。
【００３７】
ステップＳ１４０では、判定部２３０が、対象画像が条件Ｓを満たす画像であるか否かを判定する。ステップＳ１４０においてＹＥＳならば処理はステップＳ１４１へ移行する。一方、ステップＳ１４０においてＮＯならば、処理は後述のステップＳ１５１Ｎへ移行する。
【００３８】
以下においては、画像関連サービスの提供対象となる期間を、「提供対象期間Ｔｓ」ともいう。画像関連サービスは、例えば、印刷装置１００が、対象画像の印刷物（写真）を、無料で提供するというサービスである。なお、画像関連サービスの他の例については、後述する。提供対象期間Ｔｓは、画像記憶装置２００において予め設定されている。提供対象期間Ｔｓは、例えば、前述の撮影操作を行ったユーザーの誕生日を含む月である。
【００３９】
条件Ｓは、例えば、提供対象期間Ｔｓに、前述の撮影操作により被写体が撮影された日が含まれるという条件である。具体的には、条件Ｓは、提供対象期間Ｔｓに、対象画像に含まれるＥｘｉｆ情報が示す撮影日時により特定される撮影日が含まれるという条件である。なお、条件Ｓは、上記に限定されず、他の条件であってもよい。条件Ｓの他の例は、後述する。
【００４０】
以下においては、画像関連サービスの提供のために使用される情報を、「サービス情報」ともいう。サービス情報は、条件Ｓを満たす対象画像が、画像関連サービスの提供の対象となる画像である旨を示す。また、サービス情報は、サービス詳細内容を含む。サービス詳細内容とは画像関連サービスの詳細な内容である。サービス詳細内容は、例えば、無料で提供される、画像が印刷された印刷メディアの枚数が５であるという内容である。
【００４１】
サービス情報は、例えば、無料プリントを提供するためのサービス詳細内容を含む。以下においては、サービス情報が付加された対象画像を、「情報付加画像」ともいう。また、以下においては、画像関連サービスの提供の対象となる画像を、「サービス対象画像」ともいう。情報付加画像は、サービス対象画像である。
【００４２】
ステップＳ１４１では、画像生成処理Ｓが行われる。画像生成処理Ｓでは、画像生成部２４０が、画像情報に基づいて、情報付加画像を生成する。具体的には、画像生成部２４０が、予め定められた情報付加規則に従って、サービス情報を対象画像に付加する。情報付加規則とは、サービス情報を対象画像に付加する方法を定めた規則である。すなわち、情報付加規則は、サービス情報を対象画像に付加するための規則である。
【００４３】
以下においては、対象画像を構成する各画素のうち、サービス情報の付加の対象となる画素を、「付加対象画素」ともいう。
【００４４】
なお、前提Ｐｒ１では、さらに、対象画像に付加されるサービス情報は、一例として、１個以上の数値Ｖｎ（２５６以上の自然数）で表現される。また、前提Ｐｒ１では、一例として、対象画像に含まれるｋ（１以上の自然数）個の画素の各々が、付加対象画素である。なお、対象画像における当該ｋ個の付加対象画素の座標（位置）は、予め決められている。
【００４５】
前提Ｐｒ１における情報付加規則では、一例として、付加対象画素の数（ｋの値）と、付加対象画素の座標（位置）が定められている。そのため、前提Ｐｒ１における情報付加規則では、例えば、付加対象画素の数（ｋの値）を複数種類定めることにより、複数種類の画像関連サービスを表現することができる。
【００４６】
前提Ｐｒ１における画像生成処理Ｓでは、画像生成部２４０が、前提Ｐｒ１における前述の情報付加規則に従って、サービス情報を対象画像に付加することにより、情報付加画像を生成する。前提Ｐｒ１における画像生成処理Ｓでは、具体的には、画像生成部２４０が、対象画像において、情報付加規則で規定されている付加対象画素の画素値に、数値Ｖｎを加算する。これにより情報付加画像が生成される。
【００４７】
以下においては、数値Ｖｎ以上の画素値を示す画素を、「情報付加画素」ともいう。情報付加画像は、情報付加画素を含む。
【００４８】
なお、サービス情報を対象画像に付加する方法（情報付加画像を生成する方法）は、上記以外の方法であってもよい。
【００４９】
ステップＳ１５１では、記憶処理Ｓが行われる。記憶処理Ｓでは、画像生成部２４０が、生成した情報付加画像を、画像記憶部２５０に記憶させる。
【００５０】
なお、画像生成部２４０は、情報付加画像に加え、対象画像を、画像記憶部２５０に記憶させてもよい。以上の処理により、画像記憶部２５０に情報付加画像が記憶される。
【００５１】
なお、ステップＳ１４０でＮＯの場合、処理はステップＳ１５１Ｎへ移行する。ステップＳ１５１Ｎでは、記憶処理Ｎが行われる。記憶処理Ｎでは、画像生成部２４０が、対象画像を画像記憶部２５０に記憶させる。
【００５２】
次に、印刷装置１００が、情報付加画像を利用して、画像関連サービスを提供するための処理（以下、「画像印刷処理」ともいう）について説明する。図３は、本発明の実施の形態１に係る画像印刷処理のフローチャートである。画像印刷処理は、印刷装置１００が画像を取得した場合に行われる。
【００５３】
ここで、以下の前提Ｐｒ１Ａを考慮する。前提Ｐｒ１Ａは、前述の全ての前提Ｐｒ１を含む。また、前提Ｐｒ１Ａでは、ユーザーが画像記憶装置２００を所持している。また、前提Ｐｒ１Ａでは、画像記憶装置２００の画像記憶部２５０は、複数の画像を記憶している。
【００５４】
以下においては、サービス情報が付加されていない対象画像を、「画像Ｎ」ともいう。
【００５５】
前提Ｐｒ１Ａでは、画像記憶部２５０に記憶されている複数の画像は、１以上の画像Ｎと、１以上の情報付加画像とから構成される。すなわち、画像記憶部２５０に記憶されている複数の画像の一部は、情報付加画像である。当該情報付加画像は、画像関連サービスが適用される画像である。
【００５６】
前提Ｐｒ１Ａにおいて、まず、ユーザーは、印刷装置１００に対し、当該印刷装置１００が画像を取得するための画像取得操作を行う。当該画像取得操作は、ユーザーが、注文受付部１３０のタッチパネルを使用して、画像記憶装置２００の画像記憶部２５０に記憶されている複数の画像を、画像記憶装置２００から取得するための操作である。
【００５７】
画像取得操作が行われると、印刷装置１００は、通信部１１０を介して、画像要求指示を、画像記憶装置２００へ送信する。画像要求指示は、画像記憶部２５０に記憶されている複数の画像を要求するための指示である。
【００５８】
画像記憶装置２００は、画像要求指示を受信すると、通信部２７０を利用して、画像記憶部２５０に記憶されている複数の画像を、順次、印刷装置１００へ送信する。そして、印刷装置１００の通信部１１０は、複数の画像を順次受信する。なお、印刷装置１００が受信する複数の画像の一部は、情報付加画像である。通信部１１０は、対象画像を受信する毎に、当該対象画像を、画像解析部１２１へ送信する。これにより、画像印刷処理が開始される。
【００５９】
以下においては、図１の画像記憶処理において、情報付加画像の作成に使用された情報付加規則を、「情報付加規則Ｒｇ」ともいう。
【００６０】
また、画像記憶装置２００が画像要求指示を受信した場合、画像生成部２４０は、情報付加画像の作成に使用した情報付加規則Ｒｇを、通信部２７０を介して、印刷装置１００へ送信する。これにより、印刷装置１００の通信部１１０は、通信部２７０から受信した情報付加規則Ｒｇを画像解析部１２１へ送信する。これにより、画像解析部１２１は、情報付加画像の作成に使用された情報付加規則Ｒｇを取得する。
【００６１】
情報付加規則Ｒｇは、前述したように、サービス情報を対象画像に付加する方法を定めた規則である。また、情報付加画像は、対象画像にサービス情報が付加されることにより生成された画像である。そのため、情報付加規則Ｒｇを使用することにより、情報付加画像からサービス情報を取得することができるとともに、情報付加画像から、サービス情報が付加されていない対象画像を得ることもできる。
【００６２】
なお、画像解析部１２１は、情報付加画像の作成に使用された情報付加規則Ｒｇと同じ情報付加規則を、予め、当該画像解析部１２１において記憶しておいてもよい。この場合、画像生成部２４０が情報付加規則Ｒｇを送信する処理は行われない。
【００６３】
次に、前提Ｐｒ１Ａにおける画像印刷処理について説明する。画像印刷処理では、画像解析部１２１が、１つの画像を受信する毎に、ステップＳ２１０、Ｓ２２０の処理が行われる。
【００６４】
ステップＳ２１０では、画像解析部１２１が、受信した画像が、情報付加画像（サービス対象画像）であるか否かを判定する。なお、前提Ｐｒ１ＡにおけるステップＳ２２０では、画像解析部１２１が、受信した画像に情報付加画素が存在するか否かを判定する。
【００６５】
ステップＳ２１０においてＹＥＳならば、処理はステップＳ２１１へ移行する。一方、ステップＳ２１０においてＮＯならば、処理は後述のステップＳ２１３Ｎへ移行する。
【００６６】
ステップＳ２１１では、サービス情報取得処理が行われる。サービス情報取得処では、画像解析部１２１が、情報付加規則Ｒｇに基づいて、情報付加画像から、サービス情報を取得する。前提Ｐｒ１Ａにおける画像解析処理では、画像解析部１２１が、情報付加画像における前述の情報付加画素の数を特定することにより、１個以上の数値Ｖｎで表現されるサービス情報を取得（特定）する。
【００６７】
そして、画像解析部１２１は、サービス情報をサービス管理部１８０へ送信するとともに、情報付加画像を、画像復元部１２２へ送信する。
【００６８】
また、サービス管理部１８０は、画像解析部１２１からサービス情報を受信した場合、サービス提供指示を、注文受付部１３０へ送信する。サービス提供指示は、サービス情報に含まれるサービス詳細内容に示される画像関連サービスを提供するための処理を、印刷装置１００に実行させるための指示である。なお、前述したように、画像関連サービスの提供の対象となる画像を、「サービス対象画像」ともいう。
【００６９】
ステップＳ２１２では、画像復元処理が行われる。画像復元処理では、画像復元部１２２が、情報付加規則Ｒｇに基づいて、情報付加画像を、画像Ｎに変換する。
【００７０】
前提Ｐｒ１Ａにおける画像復元処理では、画像復元部１２２は、情報付加画像の情報付加画素の画素値から数値Ｖｎを減算することにより、情報付加画像を、画像Ｎに変換する。そして、画像復元部１２２は、画像Ｎを、注文受付部１３０へ送信する。
【００７１】
ステップＳ２１１、Ｓ２１２により、注文受付部１３０は、ほぼ同じタイミングにおいて、画像Ｎおよびサービス提供指示を受信（取得）する（Ｓ２１３）。これにより、注文受付部１３０は、サービス提供指示とほぼ同じタイミングにおいて受信した当該画像Ｎが、サービス対象画像であることを把握する。
【００７２】
なお、ステップＳ２１０においてＮＯならば、画像解析部１２１が、受信した画像を、注文受付部１３０へ送信する。これにより、注文受付部１３０は、画像を受信（取得）する（Ｓ２１３Ｎ）。
【００７３】
以上のステップＳ２１０、Ｓ２１１，Ｓ２１２，Ｓ２１３の処理、または、ステップＳ２１０、Ｓ２１３Ｎの処理が、画像解析部１２１が受信した画像の数だけ繰り返し行われる。これにより、注文受付部１３０は、画像記憶装置２００から送信された複数の画像を取得する。なお、注文受付部１３０が取得した複数の画像の一部は、情報付加画像（サービス対象画像）である。
【００７４】
次に、注文受付部１３０は、当該注文受付部１３０のモニターに、取得した複数の画像を表示させる。なお、注文受付部１３０は、表示されている複数の画像に含まれるサービス対象画像がサービスの対象であることをユーザーが分かるように、モニターを制御する。
【００７５】
例えば、注文受付部１３０は、枠で囲まれたサービス対象画像と、メッセージＭとをモニターに表示させる。メッセージＭは、例えば、「枠で囲まれた画像は無料です」というメッセージである。以下においては、ユーザーが印刷を望む画像を、「印刷対象画像」ともいう。
【００７６】
次に、ユーザーは、印刷注文を行うための印刷注文操作を行う。具体的には、ユーザーは、注文受付部１３０のタッチパネルを使用して、モニターが表示している複数の画像から印刷対象画像を選択する。
【００７７】
本実施の形態では、説明を分かり易くするために、前提Ｐｒ１Ａでは、選択された印刷対象画像の数は、１であると仮定する。なお、選択される印刷対象画像の数は、２以上であってもよい。また、前提Ｐｒ１Ａでは、選択された印刷対象画像は、サービス対象画像であると仮定する。
【００７８】
また、ユーザーは、印刷対象画像の選択に加え、タッチパネルを使用して、当該印刷対象画像の印刷対象となる印刷メディア、印刷サイズおよび印刷枚数の設定を行う。印刷サイズは、写真店などで印刷可能なサイズである。印刷サイズは、例えば、葉書きサイズ（ポストサイズ）、Ｌ判、２Ｌ判等である。印刷枚数は、印刷対象画像を印刷する印刷メディアの数である。以上により、印刷注文操作が終了する。
【００７９】
ステップＳ２５０では、注文情報生成処理が行われる。注文情報生成処理では、注文受付部１３０が、注文情報を生成する。注文情報は、注文受付情報を示す情報である。注文受付情報は、前述の印刷注文操作により設定された各種情報である。注文受付情報は、例えば、選択された印刷対象画像を特定する情報、印刷メディア、印刷サイズおよび印刷枚数を示す情報である。
【００８０】
なお、注文受付部１３０は、サービス提供指示を受信している場合、注文情報に、サービス情報に含まれるサービス詳細内容も追記する。
【００８１】
なお、前提Ｐｒ１Ａにおける注文情報生成処理で生成される注文情報は、注文受付部１３０がサービス提供指示を受信しているため、サービス情報に含まれるサービス詳細内容も示す。前提Ｐｒ１Ａにおける当該サービス詳細内容は、例えば、全ての印刷対象画像が、サービス対象画像であるという内容を含む。
【００８２】
そして、注文受付部１３０は、印刷対象画像および注文情報を、注文管理部１４０へ送信する。
【００８３】
ステップＳ２６０では、全ての印刷対象画像が、画像関連サービスの提供の対象となる画像であるか否かが判定される。具体的には、注文管理部１４０が、注文情報を参照して、全ての印刷対象画像が、サービス対象画像であるか否かを判定する。
【００８４】
ステップＳ２６０においてＹＥＳならば、処理は、ステップＳ２７０へ移行する。一方、ステップＳ２６０においてＮＯならば、処理はステップＳ２６１へ移行する。前提Ｐｒ１Ａでは、注文情報が示す印刷対象画像の数は１であり、当該印刷対象画像は、サービス対象画像であるため、ステップＳ２７０の処理が行われる。
【００８５】
ステップＳ２７０では、印刷処理が行われる。印刷処理では、印刷部１６０が、印刷メディアに印刷対象画像を印刷する。以下においては、印刷対象画像が印刷された印刷メディアを、「印刷物」ともいう。
【００８６】
具体的には、ステップＳ２６０でＹＥＳと判定された後の印刷処理では、注文管理部１４０が、印刷指示を、印刷部１６０へ送信する。印刷指示は、印刷部１６０に印刷対象画像を印刷させるための指示である。また、注文管理部１４０は、受信した注文情報により特定される全ての印刷対象画像のデータを、順次、印刷部１６０へ送信する。これにより、印刷部１６０は、印刷メディアに印刷対象画像を印刷する処理を、注文情報により特定される印刷対象画像の数だけ繰り返し行う。
【００８７】
印刷物排出部１７０は、印刷対象画像が印刷された印刷メディアである印刷物を、印刷装置１００の外部へ排出する処理を、印刷対象画像の数だけ繰り返し行う。これにより、ユーザーは、印刷物を受け取ることができる。これにより、前提Ｐｒ１Ａにおける画像印刷処理は終了する。
【００８８】
以下においては、画像関連サービスを提供するための処理を、「サービス提供処理」ともいう。
【００８９】
以上の前提Ｐｒ１Ａにおける画像印刷処理によれば、ステップＳ２１１〜Ｓ２１３，Ｓ２５０，Ｓ２６０，Ｓ２７０の順で処理が行われる。ステップＳ２１１では、画像解析部１２１は、情報付加画像からサービス情報を取得する。また、ステップＳ２６０でＹＥＳと判定された後、ステップＳ２７０が行われることにより、印刷装置１００は、情報付加画像に付加されているサービス情報に基づいて、画像関連サービスを提供するためのサービス提供処理を行う。
【００９０】
具体的には、印刷装置１００は、情報付加画像に付加されているサービス情報に基づいて、印刷対象画像が印刷された印刷メディア（印刷物）を、無料で、ユーザーに提供するためのサービス提供処理を行う。すなわち、印刷装置１００は、サービス提供処理を行う機能を有する。
【００９１】
次に、ステップＳ２５０が行われた直後において、印刷対象画像の印刷のために、料金の支払いが必要な場合の処理について説明する。ここで、印刷対象画像の数は複数であると仮定する。また、複数の印刷対象画像の一部のみが、サービス対象画像であると仮定する。この場合、ステップＳ２６０でＮＯと判定され、処理はステップＳ２６１へ移行する。
【００９２】
次に、ユーザーは、例えば、印刷装置１００が備える注文受付部１３０のモニターに提示された印刷料金を参照して、料金受付部１５０に設けられた料金投入口に、印刷料金を投入する。印刷料金は、印刷対象画像を印刷するために必要な料金である。印刷料金は、例えば、複数の印刷対象画像のうち、無料の対象となる印刷対象画像以外の印刷対象画像を印刷するために必要な料金である。
【００９３】
料金投入口に、印刷料金が投入されることにより、料金受付部１５０は料金を取得する。料金受付部１５０は印刷料金を取得した場合、料金取得通知を、注文受付部１３０へ送信する。料金取得通知は、料金受付部１５０が印刷料金を取得した旨を示す通知である。すなわち、料金取得通知は、ユーザーが、印刷料金の支払いを完了した旨を示す通知でもある。料金受付部１５０が、料金取得通知を取得した場合（Ｓ２６１でＹＥＳ）、前述と同様に印刷処理が行われる（Ｓ２７０）。
【００９４】
以上説明したように、本実施の形態によれば、画像生成部２４０は、サービス情報が付加された対象画像である情報付加画像を生成する。当該サービス情報は、画像の印刷に関するサービスの提供のために使用される情報である。また、印刷装置１００は、情報付加画像に付加されているサービス情報に基づいて、画像の印刷に関するサービスを提供するための処理であるサービス提供処理を行う機能を有する。
【００９５】
これにより、画像の印刷に関するサービスの提供を行う場合、従来のようにサーバ装置を使用する必要はない。そのため、簡易な構成で、画像の印刷に関するサービスを提供することができる。
【００９６】
また、本実施の形態によれば、プリントシステム１０００は、対象画像にサービス情報が付加し、サービス情報が付加された対象画像である情報付加画像を使用して、サービス提供処理を行う。したがって、従来のように、ユーザーが所有する通信端末が、外部のネットワーク（サーバ装置）に接続することなく、容易に、無料プリント等の画像関連サービスを提供することができる。
【００９７】
また、サービス情報が付加された情報付加画像を使用するため、ネットワークへの接続環境等を保有していないユーザーが、無料プリント等の画像関連サービスを容易に受けることができる。また、専用の装置の準備、サーバ装置の構築、サーバ装置の維持費用などが不要となる。すなわち、特別なサービス環境を構築する必要がない。そのため、サービスの提供者が、幅広い画像関連サービスを提供することができる。
【００９８】
また、本実施の形態によれば、画像関連サービスの提供に必要なサービス情報は、情報付加画像に含まれているため、画像（情報付加画像）の送受信が可能な装置であれば、いかなる装置でも情報付加画像（サービス情報）を受信することができる。
【００９９】
なお、本実施の形態では、印刷装置１００が画像を取得す手段として、通信を利用したが、記録媒体を使用する構成（以下、「変形構成Ｎ１」ともいう）としてもよい。
【０１００】
変形構成Ｎ１では、まず、ユーザーが、印刷装置１００に対し、記録媒体挿入動作を行う。当該記録媒体挿入動作は、ユーザーが、情報付加画像を含む複数の画像が記憶された記録媒体を、注文受付部１３０の記録媒体アクセス部の開口部に挿入する動作である。記録媒体挿入動作が行われると、注文受付部１３０の記録媒体アクセス部は、記録媒体から、複数の画像を順次読み出すことにより、複数の画像を取得する。注文受付部１３０は、取得した複数の画像を、順次、画像解析部１２１へ送信する。そして、前述の画像印刷処理が開始される。
【０１０１】
また、画像取得部２１０が画像を取得する手段は、前述したデジタルカメラに限定されない。画像取得部２１０は、例えば、記録媒体から画像を取得してもよい。ここで、画像記憶部２５０が、記録媒体アクセス部と、記録媒体アクセス部の開口部に挿入される記録媒体とから構成されると仮定する。この場合、記録媒体アクセス部が、画像が記憶された記録媒体から当該画像を読み出すことにより、画像取得部２１０は画像を取得する。
【０１０２】
なお、画像関連サービスは、印刷対象画像が印刷された印刷物を、無料でユーザーに提供するサービスに限定されない。画像関連サービスは、例えば、２Ｌ判サイズの印刷物（写真）を、Ｌ判サイズの印刷物の価格で提供するというサービスであってもよい。
【０１０３】
また、画像関連サービスは、例えば、パノラマプリント、シールプリント、ラメ入り写真プリント等を提供するサービスであってもよい。また、画像関連サービスは、大判写真プリント、特殊プリント等を特別価格で提供するサービスであってもよい。
【０１０４】
また、画像関連サービスは、例えば、フレーム、スタンプ等を印刷する、特別なデコレーションを提供するサービスであってもよい。当該フレーム、スタンプ等は、例えば、人気キャラクター、ご当地イラスト等を示すものである。上記のような様々なサービスにより、魅力的なプリントサービスを提供することができる。
【０１０５】
なお、本実施の形態では、画像関連サービスを受けることが可能な有効期間を設定してもよい。これにより、当該有効期間内に、ユーザーを、サービスの提供場所（印刷装置１００の設置場所）へ誘導することが可能となる。
【０１０６】
なお、前述の条件Ｓは、前述の条件に限定されない。条件Ｓは、例えば、対象画像のフォーマットが、ＰＮＧ形式であるという条件であってもよい。また、条件Ｓは、例えば、対象画像のアスペクト比が１６対９であるという条件であってもよい。
【０１０７】
また、条件Ｓは、例えば、対象画像が、５月５日（子供の日）に撮影された画像であるという条件であってもよい。また、対象画像が、指定の娯楽施設で撮影された画像（写真）であるという条件であってもよい。
【０１０８】
以上のように、条件Ｓは、画像の形式、画像のサイズ、画像の撮影日時、画像の撮影場所等を利用した様々な条件とされてもよい。これにより、画像関連サービスの提供の範囲を自由に設定することが可能となる。
【０１０９】
また、画像認識技術を使用して、対象画像が示す被写体を認識することにより、画像関連サービスの提供の対象となる対象画像を決めてもよい。当該被写体は、例えば、犬、猫などのペットである。また、当該被写体は、例えば、お城、娯楽施設等である。また、当該被写体は、例えば、海、山等である。また、当該被写体は、子供である。このように、画像認識技術を使用することにより、様々な被写体を示す対象画像を、画像関連サービスの提供の対象となる画像に設定することもできる。
【０１１０】
また、印刷装置１００の構成は、図１に示す構成に限定されない。例えば、注文受付部１３０が、通信部１１０の機能をさらに有する構成としてもよい。当該構成では、通信部１１０は不要となる。
【０１１１】
また、画像記憶装置２００の構成は、図１に示す構成に限定されない。例えば、画像記憶装置２００の画像記憶部２５０は、前述したように、記録媒体アクセス部と記録媒体とにより構成されてもよい。また、画像記憶装置２００に含まれる各構成要素のうち、画像記憶部２５０以外の構成要素の機能は、ＰＣが、専用のプログラムを実行することにより実現されてもよい。
【０１１２】
また、画像記憶装置２００は、記録媒体が利用可能な、デジタルカメラ、携帯電話、スマートフォン、タブレットＰＣ等の装置に専用のプログラムを内蔵させることにより構成されてもよい。当該専用のプログラムは、当該画像記憶装置２００が行う前述の各種処理を行うためのプログラムである。この構成により、ユーザーは、メモリカード等の記憶媒体のみで、画像関連サービスを受けることができる。そのため、ユーザーの利便性を向上させることができる。
【０１１３】
なお、画像記憶装置２００は、ネットワークに接続する機能を有する装置であってもよい。この場合、画像記憶装置２００は、ネットワークを通じて、サービス情報の更新および管理を行うことが可能となる。
【０１１４】
なお、情報付加画像を印刷装置１００へ送信する手段（以下、「付加画像送信手段」ともいう）は、無線通信に限定されない。付加画像送信手段は、例えば、画像記憶装置２００と印刷装置１００とを、通信ケーブルにより接続する手段であってもよい。すなわち、通信部１１０と通信部２７０とは、通信ケーブルにより接続されてもよい。当該通信ケーブルは、例えば、ＵＳＢケーブル、有線ＬＡＮケーブル等である。また、付加画像送信手段は、情報付加画像を記憶した記憶媒体を使用する手段であってもよい。
【０１１５】
なお、前述の関連技術Ａでは、インターネットに接続されたサーバ装置が必要であった。そのため、サービスの提供に必要なシステムの構築が容易ではないという問題がある。また、関連技術Ａでは、サーバ装置の管理費用といった、サービスを維持するための費用的な負担が大きいという問題がある。
【０１１６】
また、従来では、ユーザー、無人の環境に設置されたプリントシステムにおいて、無料プリントなどのサービスを受ける場合、ネットワーク接続が可能な移動通信端末を使用することが前提であった。そのため、利用可能な手段が限定されるという問題があった。
【０１１７】
また、従来では、サービスの提供者においても、管理サーバの構築、サーバの管理費用などのように、サービスの運営に多大な資金が必要である。そのため、無料プリントなどのサービスを手軽に提供できないという問題がある。すなわち、幅広く魅力的なサービスをユーザーに提供できないという問題がある。
【０１１８】
そこで、本実施の形態のプリントシステム１０００は上記のように構成される。そのため、当該プリントシステム１０００は、上記の各問題を解決することができる。
【０１１９】
＜実施の形態２＞
実施の形態１では、１種類の情報付加規則に従って、サービス情報を対象画像に付加していた。本実施の形態の構成は、対象画像の画像情報に基づいて、複数種類の情報付加規則のいずれかを使用する構成（以下、「変形構成Ａ１」ともいう）である。
【０１２０】
以下においては、変形構成Ａ１が適用されたプリントシステムを、「プリントシステム１０００Ａ」ともいう。また、以下においては、変形構成Ａ１が適用された画像記憶装置を、「画像記憶装置２００Ａ」ともいう。
【０１２１】
図４は、本発明の実施の形態２に係るプリントシステム１０００Ａの構成を示すブロック図である。図４を参照して、プリントシステム１０００Ａは、図１のプリントシステム１０００と比較して、画像記憶装置２００の代わりに画像記憶装置２００Ａを含む点が異なる。プリントシステム１０００Ａのそれ以外の構成は、プリントシステム１０００と同様なので詳細な説明は繰り返さない。
【０１２２】
画像記憶装置２００Ａは、画像記憶装置２００と比較して、情報取得部２２０が、画像情報を判定部２３０へ送信する点が異なる。画像記憶装置２００Ａのそれ以外の構成は、画像記憶装置２００と同様なので詳細な説明は繰り返さない。
【０１２３】
次に、変形構成Ａ１における画像記憶装置２００Ａが行う処理（以下、「画像記憶処理Ａ」ともいう）について説明する。ここで、以下の前提Ｐｒ２を考慮する。
【０１２４】
前提Ｐｒ２は、実施の形態１の前提Ｐｒ１Ａと比較して、画像生成部２４０が、複数種類の情報付加規則を予め記憶している点が異なる。前提Ｐｒ２のそれ以外の点は、前提Ｐｒ１Ａと同様なので詳細な説明は繰り返さない。
【０１２５】
前提Ｐｒ２では、一例として、画像生成部２４０が、２４種類の情報付加規則を予め記憶している。また、前提Ｐｒ２では、２４種類の情報付加規則の各々は、異なる時刻に関連付けられている。具体的には、２４種類の情報付加規則の各々は、時刻１時〜時刻２４時のうちのいずれかの時刻に関連付けられている。２４種類の情報付加規則のいずれかは、例えば、時刻２時に関連付けられている。
【０１２６】
以下においては、対象画像における複数の付加対象画素の配置パターンを、「付加対象画素パターン」ともいう。前提Ｐｒ２では、画像生成部２４０が、２４種類の付加対象画素パターンを予め記憶している。また、前提Ｐｒ２では、２４種類の情報付加規則の各々は、異なる付加対象画素パターンを定めた規則である。具体的には、２４種類の情報付加規則の各々は、２４種類の付加対象画素パターンのうちのいずれかを定めた規則である。
【０１２７】
次に、前提Ｐｒ２における画像記憶処理Ａについて説明する。画像記憶処理Ａは、図２の画像記憶処理と類似する。以下、前提Ｐｒ２における画像記憶処理Ａにおいて、画像記憶処理と異なる処理を主に説明する。
【０１２８】
画像記憶処理Ａでは、実施の形態１と同様、ステップＳ１１０，Ｓ１２０の処理が行われる。なお、前提Ｐｒ２におけるステップＳ１２０では、情報取得部２２０が、さらに、取得した画像情報を、画像生成部２４０へも送信する。
【０１２９】
そして、実施の形態１と同様、ステップＳ１３０，Ｓ１４０、Ｓ１４１の処理が行われる。前提Ｐｒ２におけるステップＳ１４１では、画像生成部２４０が、画像情報に基づいて、情報付加画像を生成する。
【０１３０】
具体的には、まず、画像生成部２４０が、受信した画像情報に基づいて、複数種類の情報付加規則のいずれかを選択する。
【０１３１】
例えば、画像生成部２４０は、画像情報が、撮影日時として時刻２時を示す場合、２４種類の情報付加規則のうち、当該時刻２時に関連付けられている情報付加規則を選択する。
【０１３２】
そして、画像生成部２４０は、選択した情報付加規則に従って、サービス情報を対象画像に付加することにより、情報付加画像を生成する。情報付加画像の生成方法は、実施の形態１と同様である。次に、実施の形態１と同様、ステップＳ１５１の処理が行われる。
【０１３３】
前提Ｐｒ２における画像印刷処理では、実施の形態１と同様に、画像取得操作が行われる。これにより、画像生成部２４０は、実施の形態１と同様、情報付加画像の作成に使用した情報付加規則Ｒｇを、通信部２７０を介して、印刷装置１００へ送信する。また、実施の形態１と同様に、図３の処理が行われる。
【０１３４】
以上説明したように、本実施の形態によれば、画像生成部２４０が、画像情報に基づいて、複数種類の情報付加規則のいずれかを選択する。そして、画像生成部２４０は、選択した情報付加規則に従って、サービス情報を対象画像に付加する。すなわち、画像生成部２４０は、選択された情報付加規則に基づいて、サービス情報が付加された情報付加画像を生成する。これにより、画像情報の内容によって、選択される情報付加規則が変化する。そのため、特殊な暗号化処理を行わなくても、サービス情報の解読行為、情報付加画像の偽造行為等の不正行為が行われることを容易に防ぐことが可能となる。
【０１３５】
また、本実施の形態によれば、実施の形態１と同様な効果が得られる。
【０１３６】
なお、前提Ｐｒ２における画像記憶処理Ａで使用される情報付加規則は、上記の情報付加規則に限定されない。例えば、情報付加規則は、以下の情報付加規則Ａであってもよい。情報付加規則Ａは、例えば、対象画像の解像度（サイズ）を利用した規則である。
【０１３７】
情報付加規則Ａは、例えば、以下の算出方法ＣＬ１により算出された値を、対象画像におけるｋ個の付加対象画素のうちの１番目の付加対象画素の座標とする規則である。前述したように、付加対象画素は、対象画像を構成する各画素のうち、サービス情報の付加の対象となる画素である。以下においては、画像の座標を、座標（ｘ、ｙ）と表現する。座標ｘは、Ｘ軸方向（横方向）の座標値である。座標ｙは、Ｙ軸方向（縦方向）の座標値である。
【０１３８】
算出方法ＣＬ１では、例えば、（Ｙｐ×Ｍ×ｍ）の式により得られた値を、座標ｙとする。Ｙｐは、対象画像の縦のピクセル数である。Ｍは、対象画像が撮影された月を示す数字である。ｍは、規定の定数である。
【０１３９】
また、算出方法ＣＬ１では、例えば、（Ｘｐ×Ｄ×ｍ）の式により得られた値を、座標ｘとする。Ｘｐは、対象画像の横のピクセル数である。Ｄは、対象画像が撮影された日を示す数字である。ｍは、規定の定数である。このような算出方法ＣＬ１により、座標（ｘ、ｙ）が算出される。
【０１４０】
また、情報取得部２２０により取得される画像情報は、Ｅｘｉｆ情報に限定されない。当該画像情報は、対象画像における、色データの分布、輝度分布等に基づいて、既定の方法により分類された情報であってもよい。
【０１４１】
＜実施の形態３＞
本実施の形態１，２では、対象画像に付加するサービス情報は、予め決められた情報であった。本実施の形態の構成は、対象画像の画像情報に基づいて、複数種類のサービス情報のいずれかを使用する構成（以下、「変形構成Ｂ１」ともいう）である。
【０１４２】
実施の形態３に係るプリントシステムは、変形構成Ａ１におけるプリントシステム１０００Ａである。図５は、本発明の実施の形態３に係るプリントシステム１０００Ａの構成を示すブロック図である。なお、図５では、後述の変形例１の説明のために、画像記憶装置２００Ａに、選択部２８０を示している。
【０１４３】
次に、変形構成Ｂ１における画像記憶装置２００Ａが行う処理（以下、「画像記憶処理Ｂ」ともいう）について説明する。ここで、以下の前提Ｐｒ３を考慮する。
【０１４４】
前提Ｐｒ３は、実施の形態１の前提Ｐｒ１Ａと比較して、画像生成部２４０が、複数種類のサービス情報を予め記憶している点が異なる。前提Ｐｒ３のそれ以外の点は、前提Ｐｒ１Ａと同様なので詳細な説明は繰り返さない。
【０１４５】
前提Ｐｒ３では、一例として、画像関連サービスには、一例として、２４種類のサービス情報が関連付けられている。また、前提Ｐｒ３では、画像生成部２４０が、当該２４種類のサービス情報を予め記憶している。２４種類のサービス情報の各々は、異なる画像関連サービスを提供するための情報である。２４種類のサービス情報のいずれかは、例えば、無料で、３枚の画像の印刷を行うという情報である。また、２４種類のサービス情報のいずれかは、例えば、無料で、５枚の画像の印刷を行うという情報である。
【０１４６】
また、前提Ｐｒ３では、２４種類のサービス情報の各々は、異なる時刻に関連付けられている。具体的には、２４種類のサービス情報の各々は、時刻１時〜時刻２４時のうちのいずれかの時刻に関連付けられている。２４種類のサービス情報のいずれかは、例えば、時刻２時に関連付けられている。
【０１４７】
次に、前提Ｐｒ３における画像記憶処理Ｂについて説明する。画像記憶処理Ｂは、図２の画像記憶処理と類似する。以下、前提Ｐｒ３における画像記憶処理Ｂにおいて、画像記憶処理と異なる処理を主に説明する。
【０１４８】
画像記憶処理Ｂでは、実施の形態１と同様、ステップＳ１１０，Ｓ１２０の処理が行われる。なお、前提Ｐｒ３におけるステップＳ１２０では、情報取得部２２０が、さらに、取得した画像情報を、画像生成部２４０へも送信する。
【０１４９】
そして、実施の形態１と同様、ステップＳ１３０，Ｓ１４０、Ｓ１４１の処理が行われる。前提Ｐｒ３におけるステップＳ１４１では、画像生成部２４０が、画像情報に基づいて、情報付加画像を生成する。
【０１５０】
具体的には、まず、画像生成部２４０が、受信した画像情報に基づいて、複数種類のサービス情報のいずれかを選択する。例えば、画像生成部２４０は、画像情報が、撮影日時として時刻２時を示す場合、２４種類のサービス情報のうち、当該時刻２時に関連付けられているサービス情報を選択する。
【０１５１】
そして、画像生成部２４０は、予め定められた情報付加規則に従って、選択したサービス情報を対象画像に付加することにより、情報付加画像を生成する。すなわち、画像生成部２４０は、選択されたサービス情報が付加された情報付加画像を生成する。情報付加画像の生成方法は、実施の形態１と同様である。次に、実施の形態１と同様、ステップＳ１５１の処理が行われる。
【０１５２】
また、前提Ｐｒ３における画像印刷処理では、実施の形態１と同様な処理が行われる。
【０１５３】
以上説明したように、本実施の形態によれば、画像生成部２４０が、画像情報に基づいて、複数種類のサービス情報のいずれかを選択する。そして、画像生成部２４０は、選択されたサービス情報が付加された情報付加画像を生成する。
【０１５４】
これにより、様々な種類の情報付加画像を利用して、様々な種類の画像関連サービスを提供することができる。
【０１５５】
また、本実施の形態によれば、実施の形態１と同様な効果が得られる。
【０１５６】
なお、本実施の形態の変形構成Ｂ１は、実施の形態２の変形構成Ａ１に適用可能である。以下においては、変形構成Ｂ１を変形構成Ａ１に適用した構成を、「変形構成Ｂａ１」ともいう。
【０１５７】
変形構成Ｂａにおける画像生成処理Ｓ（Ｓ１４１）では、まず、画像生成部２４０が、変形構成Ａ１と同様に、画像情報に基づいて、複数種類の情報付加規則のいずれかを選択する。次に、画像生成部２４０が、変形構成Ｂ１と同様に、画像情報に基づいて、複数種類のサービス情報のいずれかを選択する。そして、画像生成部２４０は、選択された情報付加規則に従って、選択されたサービス情報が付加された情報付加画像を生成する。これにより、変形構成Ｂａでは、実施の形態２，３の両方の効果を得ることができる。
【０１５８】
＜変形例１＞
なお、前述の変形構成Ｂ１または変形構成Ｂａにおいて、サービス情報の付加対象となる画像は、以下の選択処理により選択されてもよい。当該選択処理は、図２のステップＳ１４０において、条件Ｓを満たす複数の対象画像が存在する場合に行われる。条件Ｓを満たす複数の対象画像が存在する場合、判定部２３０は、当該複数の対象画像を、選択部２８０へ送信する。
【０１５９】
選択処理では、選択部２８０が、当該複数の対象画像から、無作為に対象画像を選択する。そして、選択部２８０は、選択した対象画像を、判定部２３０へ送信する。その後、ステップＳ１３０以降の処理が行われる。
【０１６０】
なお、条件Ｓは、実施の形態１で述べた条件以外の条件であってもよい。条件Ｓは、例えば、対象画像が、取得された対象画像の数が１００を超えた直後の画像であるという条件である。また、条件Ｓは、例えば、対象画像が、１日において、丁度１０番目に取得された画像であるという条件である。
【０１６１】
また、条件Ｓは、例えば、特定の場所で撮影された画像が取得された数が５０を超えた状態において、対象画像が、取得された画像であるという条件である。また、条件Ｓは、例えば、１週間以上画像の更新がない状態において、対象画像が、取得された画像であるという条件である。以上のような条件Ｓのように、取得された画像群から取得可能な様々な情報により条件Ｓの設定が可能である。
【０１６２】
また、ユーザーには、無料と判定された画像の枚数のみ通知し、無料である画像を通知しないようにしてもよい。これにより、ユーザーは、印刷装置１００において無料である画像を確認するために、印刷装置１００が設置されているサービス提供場所へ足を運ぶようになる。したがって、印刷装置１００の設置店舗への集客効果が期待できる。
【０１６３】
なお、選択処理において無作為に選択される画像は、例えば、子供の写真、夜景の写真など、ユーザーが予め設定した条件が反映された画像であってもよい。これにより、ユーザーの好みに合った画像を選択することが可能である。
【０１６４】
ここで、選択処理により選択された、無料の対象となる複数の画像の一部または全てのうち、無料の対象となる画像を、ユーザーによって変更可能としてもよい。無料の対象となる画像の変更のための操作は、印刷装置１００および画像記憶装置２００のいずれでも実施可能なようにしてもよい。
【０１６５】
また、画像記憶装置２００が、例えば、ＧＰＳ（Global Positioning System）の機能を備えている場合、以下のようにして、無料プリントを提供してもよい。具体的には、娯楽施設、商業施設などの特定地域に、画像記憶装置２００を所持したユーザーが存在した回数、期間等に従って、無料プリントを提供してもよい。なお、条件Ｓの追加、変更等を実施できるようにしてもよい。
【０１６６】
なお、以上の変形例１は、実施の形態１，２および、後述の実施の形態４に適用してもよい。
【０１６７】
＜実施の形態４＞
本実施の形態の構成は、サービス提供処理が行われていない場合、複数種類のサービス情報のいずれかを使用する構成（以下、「変形構成Ｃ１」ともいう）である。
【０１６８】
以下においては、変形構成Ｃ１が適用されたプリントシステムを、「プリントシステム１０００Ｃ」ともいう。また、以下においては、変形構成Ｃ１が適用された印刷装置を、「印刷装置１００Ｃ」ともいう。
【０１６９】
図６は、本発明の実施の形態４に係るプリントシステム１０００Ｃの構成を示すブロック図である。図６を参照して、プリントシステム１０００Ｃは、図１のプリントシステム１０００と比較して、印刷装置１００の代わりに印刷装置１００Ｃを含む点が異なる。プリントシステム１０００Ｃのそれ以外の構成は、プリントシステム１０００と同様なので詳細な説明は繰り返さない。
【０１７０】
印刷装置１００Ｃは、印刷装置１００と比較して、サービス利用管理部１９０をさらに備える点が異なる。印刷装置１００Ｃのそれ以外の構成は、印刷装置１００と同様なので詳細な説明は繰り返さない。
【０１７１】
サービス利用管理部１９０は、サービス対象画像が存在する場合に、印刷装置１００が、サービス提供処理を行ったか否かを監視している。以下においては、サービス対象画像が存在する場合において、前述の印刷注文操作により当該サービス対象画像が印刷対象画像として選択されなかった状況を、「サービス非提供状況」ともいう。サービス非提供状況では、印刷装置１００Ｃは、前述のサービス提供処理を行わない。
【０１７２】
具体的には、サービス利用管理部１９０が、注文受付部１３０が行う処理を監視することにより、サービス非提供状況が発生したか否かを監視している。サービス非提供状況が発生した場合、サービス利用管理部１９０は、サービス非提供通知を、通信部１１０を利用して、画像記憶装置２００へ送信する。サービス非提供通知は、サービス非提供状況が発生した旨を示す通知である。
【０１７３】
これにより、画像記憶装置２００の通信部２７０は、サービス非提供通知を受信し、当該サービス非提供通知を、画像生成部２４０へ送信する。
【０１７４】
次に、変形構成Ｃ１における画像記憶装置２００が行う処理（以下、「画像記憶処理Ｃ」ともいう）について説明する。ここで、以下の前提Ｐｒ４を考慮する。
【０１７５】
前提Ｐｒ４は、実施の形態１の前提Ｐｒ１Ａと比較して、画像生成部２４０が、複数種類のサービス情報を予め記憶している点とが異なる。また、前提Ｐｒ４では、画像記憶処理Ｃが、画像記憶装置２００において前述の撮影操作が行われる毎に繰り返し行われる。また、前提Ｐｒ４では、サービス非提供状況が発生している。すなわち、画像記憶処理Ｃが１回以上行われた後に、画像生成部２４０は、サービス非提供通知を受信している。前提Ｐｒ４のそれ以外の点は、前提Ｐｒ１Ａと同様なので詳細な説明は繰り返さない。
【０１７６】
前提Ｐｒ４では、一例として、画像関連サービスには、２４種類のサービス情報が関連付けられている。当該２４種類のサービス情報は、実施の形態３と同様な情報である。
【０１７７】
次に、画像生成部２４０がサービス非提供通知を受信した後に行われる、前提Ｐｒ４における画像記憶処理Ｃについて説明する。画像記憶処理Ｃは、図２の画像記憶処理と類似する。以下、前提Ｐｒ４における画像記憶処理Ｃにおいて、画像記憶処理と異なる処理を主に説明する。
【０１７８】
画像記憶処理Ｃでは、実施の形態１と同様、ステップＳ１１０，Ｓ１２０の処理が行われる。そして、実施の形態１と同様、ステップＳ１３０，Ｓ１４０、Ｓ１４１の処理が行われる。
【０１７９】
前提Ｐｒ４におけるステップＳ１４１では、サービス非提供通知を受信した画像生成部２４０が、画像情報に基づいて、情報付加画像を生成する。なお、前提Ｐｒ４では、印刷装置１００Ｃがサービス提供処理を行ってない場合に、画像生成部２４０は、サービス非提供通知を受信する。
【０１８０】
以下においては、前回の画像記憶処理Ｃにおいて選択されたサービス情報を、「サービス情報Ｎ」という。また、以下においては、サービス情報Ｎよりも、有益なサービスを提供するためのサービス情報を、「サービス情報Ａ」という。ここで、サービス情報Ｎが、例えば、無料で、３枚の画像の印刷を行うという情報であると仮定する。この場合、サービス情報Ａは、例えば、無料で、５枚の画像の印刷を行うという情報である。
【０１８１】
具体的には、前提Ｐｒ４におけるステップＳ１４１では、まず、サービス非提供通知を受信した画像生成部２４０は、以下の選択規則ＳＬに従って、複数種類のサービス情報のいずれかを選択する。選択規則ＳＬは、前述のサービス情報Ｎよりも、有益なサービスを提供するためのサービス情報Ａを選択するという規則である。
【０１８２】
そして、画像生成部２４０は、予め定められた情報付加規則に従って、選択したサービス情報を対象画像に付加することにより、情報付加画像を生成する。すなわち、画像生成部２４０は、選択されたサービス情報が付加された情報付加画像を生成する。情報付加画像の生成方法は、実施の形態１と同様である。次に、実施の形態１と同様、ステップＳ１５１の処理が行われる。
【０１８３】
また、前提Ｐｒ４における画像印刷処理では、実施の形態１と同様な処理が行われる。
【０１８４】
以上説明したように、本実施の形態によれば、サービス非提供通知を受信した画像生成部２４０が、選択規則ＳＬに従って、複数種類のサービス情報のいずれかを選択する。これにより、前回の画像記憶処理Ｃにおいて選択されたサービス情報よりも、有益なサービスを提供するためのサービス情報が選択される。そして、画像生成部２４０は、選択されたサービス情報が付加された情報付加画像を生成する。これにより、前回の画像関連サービスよりも有益な画像関連サービスを提供することができる。そのため、ユーザーが、画像関連サービスを受ける確率を向上させることができる。
【０１８５】
また、本実施の形態によれば、実施の形態１と同様な効果が得られる。
【０１８６】
なお、本実施の形態の変形構成Ｃ１は、実施の形態２の変形構成Ａ１に適用可能である。以下においては、変形構成Ｃ１を変形構成Ａ１に適用した構成を、「変形構成Ｃａ１」ともいう。
【０１８７】
変形構成Ｃａにおける画像生成処理Ｓ（Ｓ１４１）では、まず、画像生成部２４０が、変形構成Ａ１と同様に、画像情報に基づいて、複数種類の情報付加規則のいずれかを選択する。次に、画像生成部２４０が、前述の変形構成Ｃ１と同様に、選択規則ＳＬに従って、複数種類のサービス情報のいずれかを選択する。そして、画像生成部２４０は、選択された情報付加規則に従って、選択されたサービス情報が付加された情報付加画像を生成する。これにより、変形構成Ｃａでは、実施の形態２，４の両方の効果を得ることができる。
【０１８８】
＜変形例２＞
なお、サービス非提供状況が発生した場合、画像関連サービスを提供するための条件の範囲を拡大するように、条件Ｓを変更してもよい。例えば、前述の変形構成Ｃ１または変形構成Ｃａにおいて、サービス非提供状況が発生した場合、サービス利用管理部１９０は、さらに、サービス非提供通知Ａを、通信部１１０を利用して、画像記憶装置２００へ送信してもよい。
【０１８９】
サービス非提供状況は、前述したように、サービス対象画像が存在する場合において、印刷注文操作により当該サービス対象画像が印刷対象画像として選択されなかった状況である。すなわち、サービス非提供状況は、例えば、ユーザーが、印刷装置１００Ｃにおいて、無料プリントのサービスを受けなかったという状況である。
【０１９０】
サービス非提供通知Ａは、サービス非提供状況が発生した旨を示す通知である。なお、サービス非提供通知Ａは、さらに、例えば、印刷対象画像として選択されなかったサービス対象画像の数（以下、「非選択数」ともいう）も示す。
【０１９１】
サービス非提供通知Ａが送信されると、画像記憶装置２００の通信部２７０は、サービス非提供通知Ａを受信し、当該サービス非提供通知Ａを、判定部２３０へ送信する。判定部２３０は、サービス非提供通知Ａを受信した場合、ユーザーが画像関連サービスを受けやすくするための処理を行う。
【０１９２】
例えば、判定部２３０は、サービス非提供通知Ａが示す非選択数に基づいて、条件Ｓを満たす対象画像が増えるように、当該条件Ｓを変更する。すなわち、判定部２３０は、画像関連サービスを提供するための条件の範囲を拡大するように、条件Ｓを変更する。例えば、判定部２３０は、非選択数が大きい程、条件Ｓを満たす対象画像が増えるように、当該条件Ｓを変更する。
【０１９３】
条件Ｓが変更された後に、画像記憶処理および画像印刷処理が行われることにより、サービス対象画像（情報付加画像）の数を増やすことができる。その結果、例えば、無料サービスを利用しなかったユーザーが、画像関連サービスを受ける確率を向上させることができる。
【０１９４】
なお、サービス非提供通知Ａは、サービス情報と同様に、記録媒体に記憶されている画像に付加してもよい。そして、記録媒体を利用して、サービス非提供通知Ａを、画像記憶装置２００に与えるようにしてもよい。これにより、特別な機構を備えることなく情報の送受信が可能となる。
【０１９５】
また、サービス非提供通知Ａに、前述の印刷注文操作により選択されなかったサービス対象画像（以下、「非選択画像」ともいう）の情報を追記してもよい。そして、判定部２３０は、サービス非提供通知Ａが示す非選択画像の情報に基づいて、非選択画像が条件Ｓを満たす対象画像とならないように、条件Ｓを変更してもよい。条件Ｓが変更された後に、画像記憶処理が行われることにより、ユーザーの好みに合った画像が、条件Ｓを満たす画像として選択される。
【０１９６】
そして、画像印刷処理が行われることにより、ユーザーが、印刷注文操作において、非選択画像と異なる、ユーザーの好みに合った画像を選択するようにすることができる。
【０１９７】
また、サービス非提供通知Ａに、有料でのプリントサービスの利用回数、利用料金などを追記してもよい。これにより、有料でサービスを利用した履歴を反映した条件Ｓを設定することができる。その結果、ユーザーが、有料プリントサービスを繰返し利用する動機を与え、更なる販売促進を実現することが可能となる。
【０１９８】
なお、以上の変形例２は、実施の形態１〜実施の形態３に適用してもよい。
【０１９９】
（機能ブロック図）
図７は、プリントシステムＢＬ１０の特徴的な機能構成を示すブロック図である。プリントシステムＢＬ１０は、プリントシステム１０００，１０００Ａ，１０００Ｃのいずれかに相当する。つまり、図７は、プリントシステムＢＬ１０の有する機能のうち、本発明に関わる主要な機能を示すブロック図である。
【０２００】
プリントシステムＢＬ１０は、画像の印刷に関するサービスを提供する。プリントシステムＢＬ１０は、機能的には、情報取得部ＢＬ１と、画像生成部ＢＬ２と、印刷装置ＢＬ３とを備える。
【０２０１】
印刷装置ＢＬ３は、画像の印刷を行う。印刷装置ＢＬ３は、印刷装置１００，１００Ｃのいずれかに相当する。
【０２０２】
情報取得部ＢＬ１は、処理対象の画像である対象画像に関する情報である画像情報を取得する。情報取得部ＢＬ１は、情報取得部２２０に相当する。
【０２０３】
画像生成部ＢＬ２は、情報取得部ＢＬ１により取得された画像情報に基づいて、当該サービスの提供のために使用されるサービス情報が付加された対象画像である情報付加画像を生成する。画像生成部ＢＬ２は、画像生成部２４０に相当する。
【０２０４】
印刷装置ＢＬ３は、情報付加画像に付加されているサービス情報に基づいて、当該サービスを提供するための処理であるサービス提供処理を行う機能を有する。
【０２０５】
（その他の変形例）
以上、本発明に係るプリントシステムについて、各実施の形態に基づいて説明したが、本発明は、当該各実施の形態に限定されるものではない。本発明の主旨を逸脱しない範囲内で、当業者が思いつく変形を各実施の形態に施したものも、本発明に含まれる。つまり、本発明は、その発明の範囲内において、各実施の形態を自由に組み合わせたり、各実施の形態を適宜、変形、省略することが可能である。
【０２０６】
以下においては、本発明に係るプリントシステムを、「プリントシステムｈｚｓ」ともいう。プリントシステムｈｚｓは、プリントシステム１０００，１０００Ａ，１０００Ｃのいずれかである。また、以下においては、本発明に係る画像記憶装置を、「画像記憶装置ｈｚａ」ともいう。画像記憶装置ｈｚａは、画像記憶装置２００，２００Ａのいずれかである。また、以下においては、本発明に係る印刷装置を、「印刷装置ｈｚｐ」ともいう。印刷装置ｈｚｐは、印刷装置１００，１００Ｃのいずれかである。
【０２０７】
また、プリントシステムｈｚｓは、図で示される全ての構成要素を含まなくてもよい。すなわち、プリントシステムｈｚｓは、本発明の効果を実現できる最小限の構成要素のみを含めばよい。例えば、プリントシステムｈｚｓの画像記憶装置ｈｚａは、条件設定部２６０を備えなくてもよい。
【０２０８】
また、プリントシステムｈｚｓに含まれる、情報取得部２２０および画像生成部２４０の各々の機能は、処理回路により実現されてもよい。すなわち、プリントシステムｈｚｓは、処理回路と、印刷装置ｈｚｐとを備える。当該処理回路は、処理対象の画像である対象画像に関する情報である画像情報を取得し、取得された前記画像情報に基づいて、前記サービスの提供のために使用されるサービス情報が付加された前記対象画像である情報付加画像を生成するための回路である。
【０２０９】
印刷装置ｈｚｐは、前記情報付加画像に付加されている前記サービス情報に基づいて、前記サービスを提供するための処理であるサービス提供処理を行う機能を有する。
【０２１０】
処理回路は、専用のハードウェアであってよい。また、処理回路は、メモリに格納されるプログラムを実行するプロセッサであってもよい。当該プロセッサは、例えば、ＣＰＵ（Central Processing Unit）、中央処理装置、演算装置、マイクロプロセッサ、マイクロコンピュータ、ＤＳＰ（Digital Signal Processor）等である。
【０２１１】
以下においては、処理回路が専用のハードウェアである構成を、「構成Ｃｓ１」ともいう。また、以下においては、処理回路が、プロセッサである構成を、「構成Ｃｓ２」ともいう。また、以下においては、情報取得部２２０および画像生成部２４０の各々の機能を、ハードウェアとソフトウェアとの組み合わせにより実現する構成を、「構成Ｃｓ３」ともいう。
【０２１２】
構成Ｃｓ１では、処理回路は、例えば、単一回路、複合回路、プログラム化されたプロセッサ、並列プログラム化されたプロセッサ、ＡＳＩＣ（Application Specific Integrated Circuit）、ＦＰＧＡ（Field Programmable Gate Array）、またはこれらを組み合わせたものが該当する。情報取得部２２０および画像生成部２４０の機能は、それぞれ、２つの処理回路で実現されてもよい。また、情報取得部２２０および画像生成部２４０の全ての機能が、１つの処理回路で実現されてもよい。
【０２１３】
なお、プリントシステムｈｚｓに含まれる各構成要素の全てまたは一部を、ハードウエアで示した構成は、例えば、以下のようになる。以下においては、プリントシステムｈｚｓに含まれる各構成要素の全てまたは一部を、ハードウエアで示したプリントシステムを、「プリントシステムｈｄ１０」ともいう。
【０２１４】
図８は、プリントシステムｈｄ１０のハードウエア構成図である。図８を参照して、プリントシステムｈｄ１０は、プロセッサｈｄ１と、メモリｈｄ２と、印刷装置ｈｄ３とを備える。メモリｈｄ２は、例えば、ＲＡＭ（Random Access Memory）、ＲＯＭ（Read Only Memory）、フラッシュメモリ、ＥＰＲＯＭ、ＥＥＰＲＯＭ等の、不揮発性または揮発性の半導体メモリである。また、例えば、メモリｈｄ２は、磁気ディスク、フレキシブルディスク、光ディスク、コンパクトディスク、ミニディスク、ＤＶＤ等である。
【０２１５】
印刷装置ｈｄ３は、印刷装置１００，１００Ｃのいずれかに相当する。
【０２１６】
構成Ｃｓ２では、処理回路は、プロセッサｈｄ１である。構成Ｃｓ２では、情報取得部２２０および画像生成部２４０の各々の機能は、ソフトウェア、ファームウェア、またはソフトウェアとファームウェアとの組み合わせにより実現される。ソフトウェアまたはファームウェアは、プログラムとして記述され、メモリｈｄ２に格納される。
【０２１７】
また、構成Ｃｓ２では、処理回路（プロセッサｈｄ１）が、メモリｈｄ２に記憶されたプログラムを読み出して、当該プログラムを実行することにより、情報取得部２２０および画像生成部２４０の各々の機能は実現される。すなわち、メモリｈｄ２は、以下のプログラムを格納する。
【０２１８】
当該プログラムは、処理対象の画像である対象画像に関する情報である画像情報を取得するステップと、取得された前記画像情報に基づいて、前記サービスの提供のために使用されるサービス情報が付加された前記対象画像である情報付加画像を生成するステップとを、処理回路（プロセッサｈｄ１）に実行させるためのプログラムである。
【０２１９】
また、当該プログラムは、情報取得部２２０および画像生成部２４０の各々が行う処理の手順、当該処理を実行する方法等をコンピュータに実行させるものでもある。
【０２２０】
構成Ｃｓ３では、情報取得部２２０および画像生成部２４０の一部の機能は、専用のハードウェアで実現される。また、構成Ｃｓ３では、情報取得部２２０および画像生成部２４０の別の一部の機能は、ソフトウェアまたはファームウェアで実現される。
【０２２１】
例えば、情報取得部２２０の機能は、処理回路がメモリに格納されたプログラムを読み出して実行することによって実現される。また、例えば、画像生成部２４０の機能は、専用のハードウェアとしての処理回路で実現される。
【０２２２】
以上の構成Ｃｓ１、構成Ｃｓ２および構成Ｃｓ３のように、処理回路は、ハードウェア、ソフトウェア、ファームウェア、またはこれらの組み合わせによって、上述の各機能を実現することができる。
【０２２３】
また、本発明は、プリントシステムｈｚｓが備える特徴的な構成部の動作をステップとする画像処理方法として実現してもよい。また、本発明は、そのような画像処理方法に含まれる各ステップをコンピュータに実行させるプログラムとして実現してもよい。また、本発明は、そのようなプログラムを格納するコンピュータ読み取り可能な記録媒体として実現されてもよい。また、当該プログラムは、インターネット等の伝送媒体を介して配信されてもよい。
【０２２４】
また、本発明に係る画像処理方法は、図２の画像記憶処理および図３の画像印刷処理に相当する。
【０２２５】
上記実施の形態で用いた全ての数値は、本発明を具体的に説明するための一例の数値である。すなわち、本発明は、上記実施の形態で用いた各数値に制限されない。
【０２２６】
なお、本発明は、その発明の範囲内において、各実施の形態を自由に組み合わせたり、各実施の形態を適宜、変形、省略することが可能である。
【符号の説明】
【０２２７】
１００，１００Ｃ，ＢＬ３，ｈｄ３  印刷装置、２００，２００Ａ  画像記憶装置、２２０，ＢＬ１  情報取得部、２４０，ＢＬ２  画像生成部、１０００，１０００Ａ，１０００Ｃ，ＢＬ１０，ｈｄ１０  プリントシステム、ｈｄ１  プロセッサ、ｈｄ２  メモリ。
【図１】
0006482428.tif 000002
【図２】
0006482428.tif 000003
【図３】
0006482428.tif 000004
【図４】
0006482428.tif 000005
【図５】
0006482428.tif 000006
【図６】
0006482428.tif 000007
【図７】
0006482428.tif 000008
【図８】
0006482428.tif 000009